(57)【要約】  本発明は、ＩＣタグを収納するＩＣタグ収納ケースに関し、ＩＣタグのコストを増加させることなく、ＩＣタグとリーダライタとの間の情報の交信を精度良く行うことを課題とする。このため本発明は、ＩＣタグ収納用ケースを、電磁波を通過させる材料により形成された蓋体と、ＩＣタグを収納するための溝部を有し、高透磁率材料により形成されたケース本体とを備えた構成とした。【特許請求の範囲】
【請求項１】
ＩＣタグを収納するＩＣタグ収納ケースにおいて、
前記ＩＣタグを収納した際、前記ＩＣタグと対向する一方の側に、高透磁率材料よりなる高透磁率部材を設けたことを特徴とするＩＣタグ収納ケース。
【請求項２】
前記高透磁率材料の比透磁率は、１０００〜８０００００であることを特徴とする請求項１に記載のＩＣタグ収納ケース。
【請求項３】
前記高透磁率材料は、パーマロイ、ニッケル、コバルトからなる群のうちの少なくとも１種からなることを特徴とする請求項１に記載のＩＣタグ収納ケース。
【請求項４】
前記高透磁率部材が設けられていない側に、受動部品よりなるアンテナを設けたことを特徴とする請求項１に記載のＩＣタグ収納ケース。
【請求項５】
ＩＣタグを収容する溝部を有したケース本体と、
前記溝部を塞ぐよう前記ケース本体に配設され、電磁波が入来される蓋体とを備え、
前記ケース本体を、高透磁率材料で構成したことを特徴とするＩＣタグ収納ケース。
【請求項６】
前記高透磁率材料の比透磁率は、１０００〜８０００００であることを特徴とする請求項５に記載のＩＣタグ収納ケース。
【請求項７】
前記高透磁率材料は、パーマロイ、ニッケル、コバルトからなる群のうちの少なくとも５種からなることを特徴とする請求項５に記載のＩＣタグ収納ケース。
【請求項８】
前記蓋体は、前記ケース本体に対して着脱可能な構成とされていることを特徴とする請求項５に記載のＩＣタグ収納ケース。
【請求項９】
前記蓋体には、受動部品よりなるアンテナを設けたことを特徴とする請求項５に記載のＩＣタグ収納ケース。
【請求項１０】
ＩＣタグを収容する溝部を有したケース本体と、
前記溝部を塞ぐよう前記ケース本体に配設され、電磁波が入来される蓋体とを備え、
前記ＩＣタグと対向するケース本体に、高透磁率材料よりなる高透磁率部材を設けたことを特徴とするＩＣタグ収納ケース。
【請求項１１】
前記高透磁率材料の比透磁率は、１０００〜８０００００であることを特徴とする請求項１０に記載のＩＣタグ収納ケース。
【請求項１２】
前記高透磁率材料は、パーマロイ、ニッケル、コバルトからなる群のうちの少なくとも５種からなることを特徴とする請求項１０に記載のＩＣタグ収納ケース。
【請求項１３】
前記蓋体は、前記ケース本体に対して着脱可能な構成とされていることを特徴とする請求項１０に記載のＩＣタグ収納ケース。
【請求項１４】
前記蓋体には、受動部品よりなるアンテナを設けたことを特徴とする請求項１０に記載のＩＣタグ収納ケース。
【発明の詳細な説明】
【技術分野】
【０００１】
本発明は、ＩＣタグを収納するＩＣタグ収納ケースに関する。
【背景技術】
【０００２】
現在、ＩＣタグ（ＲＦＩＤタグともいう）を情報管理したい製品や物体等の対象物（以下、「対象物」とする）に取り付けて、リーダライタを介してＩＣタグからの対象物の情報をコンピュータで管理し、業務の効率化を図ることが行われている。ＩＣタグとは、小さなＩＣチップにＩＤ（識別情報）を記録し、無線電波によりＩＣタグとリーダライタとの間で情報の交信（情報の書き込みや読み出し）を行うタグ（荷札）のことである。ＩＣタグは、リーダライタからの信号を含んだ電磁波を受信し、電力を電源電圧に替え、ＩＣタグに設けられたＩＣチップに印加して同時に情報の書き込みや読み出しを行う。このようなＩＣタグは、小さなスペースがあれば容易に導入でき、複製や偽造が困難であるという特徴や、非接触電力伝送で動作するため電源が不要であるという特徴を有している。また、ＩＣタグを複数の対象物に取り付けた場合には、複数の対象物の情報を一括して読み取ることも可能である。【０００３】
このようなＩＣタグを大気中の湿度や塵埃等から保護するものの一例として、図１に示すようなＩＣタグ収納ケース１０がある。図１は、ＩＣタグを収納する従来のＩＣタグ収納ケースの分解斜視図である。【０００４】
図１に示すように、ＩＣタグ収納ケース１０は、中板１１と、上板１２と、下板１３とを有した構成とされている。中板１１には、貫通部１１Ａが形成されており、この貫通部１１Ａは、アンテナコイル１６と、アンテナコイル１６と接続されたＩＣチップ１７とよりなるＩＣタグ１５を収容するためのものである。上板１２は、中板１１の上面１１ａ側から貫通部１１Ａを塞ぐよう中板１１に装着されるものである。下板１３は、中板１１の下面１１ｂ側から貫通部１１Ａを塞ぐよう中板１１に装着されるものである。中板１１、上板１２、及び下板１３は、それぞれ可撓性を有しており、取り付け面が平面でない対象物に対してもＩＣタグ収納ケース１０を比較的容易に取り付けることができる（例えば、特許文献１参照）。
【特許文献１】特開２００２−２４５４３０号公報
【発明の開示】
【発明が解決しようとする課題】
【０００５】
図２は、ＩＣタグを従来のＩＣタグ収納ケースに収納し、金属製の対象物に取り付けた場合の磁界の分布を示した図である。【０００６】
しかしながら、図２に示すように、ＩＣタグ１５を金属製の対象物２２に近接（又は、接触）させた場合、金属製の対象物２２の表面に磁界による渦電流損（eddy current loss）が発生して、磁束ＡがＩＣタグ１５を通過しなくなるため、金属製の対象物２２に適用した場合には、ＩＣタグ１５とリーダライタ２１との間での情報の交信ができなくなってしまうという問題があった。【０００７】
このような問題を解決するために、高透磁率材料をＩＣタグ１５に設けたもの（例えば、特開２００３−４６３２１号公報参照）があるが、この場合、ＩＣタグ１５毎に高透磁率材料を設ける必要があるため、ＩＣタグのコストが増加してしまうという問題があった。
【課題を解決するための手段】
【０００８】
本発明は、上述した従来技術の課題を解決する、改良された有用なＩＣタグ収納ケースを提供することを総括的な目的とする。【０００９】
本発明のより詳細な目的は、ＩＣタグのコストを増加させることなく、ＩＣタグとリーダライタとの間の情報の交信を精度良く行うことのできるＩＣタグ収納ケースを提供することにある。【００１０】
この目的を達成するため、本発明では、ＩＣタグを収納するＩＣタグ収納ケースにおいて、前記ＩＣタグを収納した際、前記ＩＣタグと対向する一方の側に、高透磁率材料よりなる高透磁率部材を設けたことを特徴とする。【００１１】
このようなＩＣタグ収納ケースによれば、高透磁率材料よりなる高透磁率部材を設けて、高透磁率部材と金属製の対象物とが対向するようＩＣタグ収納ケースを金属製の対象物に取り付けることで、リーダライタからの電磁波により形成される磁束をＩＣタグ収納ケースに収納されたＩＣタグに集中（ＩＣタグを通過）させて、起電力を確保することができ、対象物の材質に依存することなく、ＩＣタグとリーダライタとの間の情報の交信を精度良く行なうことができる。なお、ここでの「高透磁率材料」とは、比透磁率の高い材料のことである。【００１２】
また、一般的には、比透磁率が１００以上の磁気材料を高透磁率材料と言われるが、上記発明において、前記高透磁率材料の比透磁率は、１０００〜８０００００としてもよい。【００１３】
この構成とした場合には、対象物の材質に依存することなく、ＩＣタグとリーダライタとの間の情報の交信を精度良く行なうことができる。【００１４】
また、上記発明において、前記高透磁率材料には、パーマロイ、ニッケル、コバルトからなる群のうちの少なくとも１種からなるものを用いてもよい。【００１５】
この構成とした場合には、パーマロイ、ニッケル、コバルトからなる群のうちの少なくとも１種からなるものを用いることができる。【００１６】
また、上記発明において、前記高透磁率部材が設けられていない側に、受動部品よりなるアンテナを設けてもよい。【００１７】
この構成とした場合には、リーダライタからの電磁波を受動部品よりなるアンテナで受信し、アンテナとＩＣタグとの間で電磁結合させることで、ＩＣタグとリーダライタとの通信距離を伸ばすことが可能となり、ＩＣタグとリーダライタとの間の情報の交信を精度良く行なうことができる。【００１８】
また、上記目的を達成するため、他の発明では、ＩＣタグを収容する溝部を有したケース本体と、前記溝部を塞ぐよう前記ケース本体に配設され、電磁波が入来される蓋体とを備え、前記ケース本体を、高透磁率材料で構成したことを特徴とする。【００１９】
このようなＩＣタグ収納ケースによれば、ケース本体を高透磁率材料で構成し、ケース本体と金属製の対象物とが対向するようＩＣタグ収納ケースを金属製の対象物に取り付けることで、リーダライタからの電磁波により形成される磁束をＩＣタグ収納ケースに収納されたＩＣタグに集中（ＩＣタグを通過）させて、起電力を確保することができ、対象物の材質に依存することなく、ＩＣタグとリーダライタとの間の情報の交信を精度良く行なうことができる。【００２０】
また、上記発明において、前記高透磁率材料の比透磁率は、１０００〜８０００００としてもよい。【００２１】
この構成とした場合には、対象物の材質に依存することなく、ＩＣタグとリーダライタとの間の情報の交信を精度良く行なうことができる。【００２２】
また、上記発明において、前記高透磁率材料には、パーマロイ、ニッケル、コバルトからなる群のうちの少なくとも１種からなるものを用いてもよい。【００２３】
この構成とした場合には、パーマロイ、ニッケル、コバルトからなる群のうちの少なくとも１種からなるものを用いることができる。【００２４】
また、上記発明において、前記蓋体は、前記ケース本体に対して着脱可能な構成としてもよい。【００２５】
この構成とした場合には、ＩＣタグ収納ケースに収納されたＩＣタグを他のＩＣタグと交換することが可能となり、１つのＩＣタグ収納ケースを複数のＩＣタグに対して流用することができる。【００２６】
また、上記発明において、前記蓋体には、受動部品よりなるアンテナを設けても良い。【００２７】
この構成とした場合には、リーダライタからの電磁波を受動部品よりなるアンテナで受信し、アンテナとＩＣタグとの間で電磁結合させることで、ＩＣタグとリーダライタとの通信距離を伸ばすことが可能となり、ＩＣタグとリーダライタとの間の情報の交信を精度良く行なうことができる。【００２８】
また、上記目的を達成するため、他の発明では、ＩＣタグを収容する溝部を有したケース本体と、前記溝部を塞ぐよう前記ケース本体に配設され、電磁波が入来される蓋体とを備え、前記ＩＣタグと対向するケース本体に、高透磁率材料よりなる高透磁率部材を設けたことを特徴とする。【００２９】
このようなＩＣタグ収納ケースによれば、高透磁率材料よりなる高透磁率部材をケース本体に設け、ケース本体と金属製の対象物とが対向するようＩＣタグ収納ケースを金属製の対象物に取り付けることで、リーダライタからの電磁波により形成される磁束をＩＣタグ収納ケースに収納されたＩＣタグに集中（ＩＣタグを通過）させて、起電力を確保することができ、対象物の材質に依存することなく、ＩＣタグとリーダライタとの間の情報の交信を精度良く行なうことができる。【００３０】
また、上記発明において、前記高透磁率材料の比透磁率は、１０００〜８０００００としてもよい。【００３１】
この構成とした場合には、対象物の材質に依存することなく、ＩＣタグとリーダライタとの間の情報の交信を精度良く行なうことができる。【００３２】
また、上記発明において、前記高透磁率材料には、パーマロイ、ニッケル、コバルトからなる群のうちの少なくとも１種からなるものを用いてもよい。【００３３】
この構成とした場合には、パーマロイ、ニッケル、コバルトからなる群のうちの少なくとも１種からなるものを用いることができる。【００３４】
また、上記発明において、前記蓋体は、前記ケース本体に対して着脱可能な構成としてもよい。【００３５】
この構成とした場合には、ＩＣタグ収納ケースに収納されたＩＣタグを他のＩＣタグと交換することが可能となり、１つのＩＣタグ収納ケースを複数のＩＣタグに対して流用することができる。【００３６】
また、上記発明において、前記蓋体には、受動部品よりなるアンテナを設けてもよい。【００３７】
この構成とした場合には、リーダライタからの電磁波を受動部品よりなるアンテナで受信し、アンテナとＩＣタグとの間で電磁結合させることで、ＩＣタグとリーダライタとの通信距離を伸ばすことが可能となり、ＩＣタグとリーダライタとの間の情報の交信を精度良く行なうことができる。
【発明の効果】
【００３８】
本発明によれば、ＩＣタグのコストを増加させることなく、ＩＣタグとリーダライタとの間の情報の交信を精度良く行うことができるという効果が得られる。
【図面の簡単な説明】
【００３９】
【図１】ＩＣタグを収納する従来のＩＣタグ収納ケースの分解斜視図である。
【図２】ＩＣタグを従来のＩＣタグ収納ケースに収納し、金属製の対象物に取り付けた場合の磁界の分布を示した図である。
【図３】ＩＣタグが収納された本発明の第１実施例のＩＣタグ収納ケースの斜視図である。
【図４】図３に示した構造体（ＩＣタグ及びＩＣタグ収納ケース）のＢ−Ｂ線方向の断面図である。
【図５】図３に示した構造体の分解斜視図である。
【図６】ＩＣタグを収納した第１実施例のＩＣタグ収納ケースを金属製の対象物上に配置させた際のＩＣタグとリードライタとの間の磁束の分布を模式的に示した図である。
【図７】対象物に取り付けるための粘着材を備えたＩＣタグ収納ケースである。
【図８】ＩＣタグが収納された本発明の第２実施例のＩＣタグ収納ケースの斜視図である。
【図９】図８に示した構造体（ＩＣタグ及びＩＣタグ収納ケース）のＥ−Ｅ線方向の断面図である。
【図１０】図８に示した構造体の分解斜視図である。
【図１１】ＩＣタグが収納された本発明の第３実施例のＩＣタグ収納ケースの斜視図である。
【図１２】図１１に示した構造体（ＩＣタグ及びＩＣタグ収納ケース）のＦ−Ｆ線方向の断面図である。
【図１３】図１１に示した構造体の分解斜視図である。
【図１４】ＩＣタグが収納された本発明の第４実施例のＩＣタグ収納ケースの斜視図である。
【図１５】図１４に示した構造体の分解斜視図である。
【図１６】導波用アンテナを備えた他のＩＣタグ収納用ケースの斜視図（その１）である。
【図１７】導波用アンテナを備えた他のＩＣタグ収納用ケースの斜視図（その２）である。
【符号の説明】
【００４０】
１０，３０，６０，７０，８０，９０，９５    ＩＣタグ収納ケース
１１    中板
１１Ａ  貫通部
１１ａ，８１Ａ  上面
１１ｂ，８１Ｂ  下面
１２    上板
１３    下板
１５，４１    ＩＣタグ
１６    アンテナコイル
１７，４４    ＩＣチップ
２１，４７    リーダライタ
２２，４８    金属製の対象物
３１，７１    ケース本体
３１Ｂ，７１Ａ  底板部
３２，７２    溝部
３３，６５，６７，７４    ネジ穴
３５，８１    蓋体
３６  凹部
３７，８２  貫通穴
３９    ネジ
４２  基材
４３    アンテナ
４５    封止樹脂
６１    枠体
６２    底板
６４    貫通部
７３    高透磁率部材
８５    導波用アンテナ
８６    キャパシタンス部（共振周波数調整用）
８７    アンテナ部
Ａ，Ｃ    磁束
Ｄ１〜Ｄ２    深さ
Ｔ１〜Ｔ５    厚さ
【発明を実施するための最良の形態】
【００４１】
次に、本発明を実施するための最良の形態について図面と共に説明する。
【第１実施例】
【００４２】
図３乃至５を参照して、本発明の第１実施例であるＩＣタグ収納ケース３０について説明する。図３は、ＩＣタグが収納された本発明の第１実施例のＩＣタグ収納ケースの斜視図であり、図４は、図３に示した構造体（ＩＣタグ及びＩＣタグ収納ケース）のＢ−Ｂ線方向の断面図である。また、図５は、図３に示した構造体の分解斜視図である。なお、図４において、Ｔ１はケース本体の底板部３１Ｂの厚さ（以下、「厚さＴ１」とする）、Ｄ１は溝部３２の深さ（以下、「深さＤ１」とする）をそれぞれ示している。
【００４３】
ＩＣタグ収納ケース３０は、ＩＣタグ４１を収納した状態で、情報を管理したい製品や物体等の対象物（以下、「対象物」とする）に取り付けられるものである。ＩＣタグ収納ケース３０は、大略すると、リーダライタからの電磁波を入来する蓋体３５と、ケース本体３１とを有した構成とされている。ＩＣタグ４１を収容したＩＣタグ収納ケース３０は、ケース本体３１と対象物とが対向するように対象物に取り付けられる。
【００４４】
ここで、先にＩＣタグ４１の構成について説明する。ＩＣタグ４１は、大略すると基材４２と、アンテナ４３と、ＩＣチップ４４と、封止樹脂４５とを有した構成とされている（図４参照）。アンテナ４３は、基材４２上に設けられている。ＩＣチップ４４は、基材４２上に設けられており、アンテナ４３と接続されている。封止樹脂４５は、基材４２上に設けられたアンテナ４３及びＩＣチップ４４を覆うように設けられている。封止樹脂４５は、アンテナ４３及びＩＣチップ４４を保護するためのものである。このような構成とされたＩＣタグ４１は、アンテナ４３が蓋体３５と対向するようＩＣタグ収納ケース３０に収納されている。
【００４５】
蓋体３５は、可撓性を有しており、４つの角部には凹部３６がそれぞれ形成されている。この凹部３６には、ネジ３９を挿入するための貫通穴３７が形成されている。蓋体３５は、貫通穴３７に挿入されたネジ３９により、ケース本体３１の溝部３２を覆うようケース本体３１に装着されている。したがって、蓋体３５は、ケース本体３１に対して着脱可能な状態で装着されている。
【００４６】
このように、ネジ３９により蓋体３５をケース本体３１に着脱可能な状態で装着させることにより、ＩＣタグ収納ケース３０に収納されたＩＣタグ４１を他のＩＣタグと交換することが可能となり、複数のＩＣタグに対してＩＣタグ収納ケース３０を流用することができる。そのため、高透磁率材料を備えた従来のＩＣタグ１５と比較して、ＩＣタグ４１の製造コストを低下させることができる。
【００４７】
蓋体３５は、ＩＣタグ収納ケース３０に収容されたＩＣタグ４１がＩＣタグ収納ケース３０外に飛び出すことを防ぐと共に、リーダライタ４７からの電磁波により発生する磁束Ｃ（磁力線）をＩＣタグ４１に到達させるためのものである。したがって、蓋体３５の材料には、磁束Ｃを通過させ易いものが望ましい。蓋体３５の材料としては、例えば、ポリエチレンテレフタレート（ＰＥＴ）、ポリエチレン（ＰＥ）、合成高分子ポリアミド（ナイロン）、ポリスチレン（ＰＳ）、ポロプロピレン（ＰＰ）等の樹脂や、合成ゴムを用いると良い。このような材料を用いることで、蓋体３５に可撓性を持たせることができる。
【００４８】
高透磁率部材であるケース本体３１は、可撓性を有しており、溝部３２とネジ穴３３とを有した構成とされている。溝部３２は、ＩＣタグ４１を収納するためのものである。溝部３２の深さＤ１は、収納するＩＣタグ４１の厚さに依存するが、例えば、０．５ｍｍ〜５．０ｍｍとすることができる。
【００４９】
ネジ穴３３は、蓋体３５の貫通穴３７と対向する位置に設けられている。ネジ穴３３は、蓋体３５をケース本体３１に装着する際に使用するネジ３９を締結するためのものである。
【００５０】
また、ケース本体３１は、高透磁率材料により形成されている。高透磁率材料とは、外部からわずかな磁界を印加することにより、大きな磁束密度が誘導される高透磁率特性を有する材料であり、具体的には、透磁率μが高く、飽和磁束密度Ｂｓが高く、保磁力Ｈｃが小さく、ヒステリシス損の小さいものである。また、このような高透磁率材料には、磁束（磁力線）を引き付ける性質がある。
【００５１】
高透磁率材料としては、例えば、パーマロイ、センダスト、フェライト、アモルファス合金、ニッケル、コバルト等を用いることができる。パーマロイは、Ｎｉ−Ｆｅ合金にＭｏ，Ｍｎ，Ｃｕ，Ｃｒ等を添加したものである。センダストは、Ｓｉ−Ａｌ−Ｆｅ合金であり、飽和磁束密度が大きい合金である。フェライトは、ｆｅｒｒｉｃイオンＦｅ３＋を含む磁性酸化物である。本実施例において、好ましくは、パーマロイ、ニッケル、コバルト等の高透磁率材料を適用すると良い。
【００５２】
パーマロイは、直流透磁率が非常に高く、比較的柔らく加工性に優れた性質を有している。そのため、高透磁率材料としてパーマロイを用いることで、ケース本体３１に可撓性を持たせて、取り付け面が平面形状でない対象物に対してもＩＣタグ収容ケース３０を容易に取り付けることができる。より具体的には、パーマロイとしては、ＳＭＳ−ＰＡ，ＰＢ，ＰＣ（いずれも住友金属鉱山株式会社製）やスーパーマロイ等を用いることができる。スーパーマロイは、比透磁率が８０００００の材料である。ニッケルとしては、腐食雰囲気下で優れた耐食性を有した純ニッケルを用いることができる。純ニッケルとしてより具体的には、ＳＭＳ−２００，２０１，ＨＮｉ（いずれも住友金属鉱山株式会社製）を用いることができる。コバルトとしては、強磁性を有した純コバルトを用いることができる。より具体的には、純コバルトとしては、ＳＭＳ−ＨＣｏ（住友金属鉱山株式会社製）を用いることができる。また、他の高透磁率材料としては、新高透磁率材料１３８０（住友スリーエム株式会社製）を用いることができる。新高透磁率材料１３８０（住友スリーエム株式会社製）は、比透磁率が１０００００と非常に高い材料であり、軽量かつ柔軟で加工性に優れた性質を有する材料である。
【００５３】
なお、本発明における「高透磁率材料」とは、比透磁率の高い材料（高比透磁率材料）のことである。なお、以下の説明においては、比透磁率の高い材料（高比透磁率材料）を「高透磁率材料」と称す。また、ケース本体３１の厚さＴ１は、高透磁率材料の種類等に依存するが、例えば、１．０ｍｍ〜１１．０ｍｍとすることができる。
【００５４】
図６は、ＩＣタグを収納した第１実施例のＩＣタグ収納ケースを金属製の対象物上に配置させた際のＩＣタグとリーダライタとの間の磁束の分布を模式的に示した図である。
【００５５】
図６に示すように、本実施例のＩＣタグ収納ケース３０によれば、高透磁率材料よりなるケース本体３１を設け、ケース本体３１と金属製の対象物４８とが対向するようＩＣタグ収納ケース３０を金属製の対象物４８に取り付けることで、リーダライタ４７から発生された電磁波により形成される磁束ＣをＩＣタグ収納ケース３０に収納されたＩＣタグ４１に集中（ＩＣタグ４１に通過）させ、起電力を確保して、対象物の材質に依存することなく、ＩＣタグ４１とリーダライタ４７との間の情報の交信を精度良く行なうことができる。また、ＩＣタグ４１の近傍に金属が存在した場合でも、リーダライタ４７とＩＣタグ４１との間の情報の交信を精度良く行なうことができる。
【００５６】
また、高透磁率材料の比透磁率が１０００以下の場合には、高透磁率材料への磁束の集束力が低下して、濡れ磁界が増加するため、うず電流損失が発生し、通信の信頼性を十分に確保できなくなってしまう。したがって、高透磁率材料の比透磁率は、１０００以上であることが好ましい。また、スーパーマロイの比透磁率が８０００００であるため、請求項において、比透磁率の上限を８０００００とした。
【００５７】
以上、説明したように、ケース本体３１を高透磁率材料により構成し、ＩＣタグ収納ケース３０を金属製の対象物４８に取り付けた際、ＩＣタグ３５と金属製の対象物４８との間にケース本体３１を配置することで、対象物の材質に依存することなく、リードライタ４７からの電磁波により形成される磁束ＣをＩＣタグ収納ケースに収納されたＩＣタグ４１に集中（ＩＣタグ４１を通過）させて、起電力を確保して、ＩＣタグ４１とリーダライタ４７との間の情報の交信を精度良く行なうことができる。
【００５８】
図７は、対象物に取り付けるための粘着材を備えたＩＣタグ収納ケースである。図７に示すように、ケース本体３１の底板部３１Ｂに粘着材４９を設けることで、ＩＣタグ収納ケース３０を金属製の対象物４８に取り付けることができる。
【００５９】
なお、本実施例では、ネジ３９により蓋体３５をケース本体３１に装着させたが、蓋体３５はケース本体３１に対して着脱可能な構成であれば良く、ケース本体３１に対する蓋体３５の装着方法は本実施例に限定されない。例えば、ケース本体３１と蓋体３５との間に粘着材を設けて、蓋体３５をケース本体３１に対して着脱可能な構成としても良い。また、本実施例のＩＣタグ収納ケース３０は、ＩＣチップと接続された第１のアンテナと、第１のアンテナの外側に設けられた第２のアンテナとを備えたＩＣタグにも適用することができる。
【第２実施例】
【００６０】
図８乃至１０を参照して、本発明の第２実施例であるＩＣタグ収納ケース６０について説明する。図８は、ＩＣタグが収納された本発明の第２実施例のＩＣタグ収納ケースの斜視図であり、図９は、図８に示した構造体（ＩＣタグ及びＩＣタグ収納ケース）のＥ−Ｅ線方向の断面図である。また、図１０は、図８に示した構造体の分解斜視図である。なお、図８及び図９において、Ｔ２は枠体６１の厚さ（以下、「厚さＴ２」とする）、Ｔ３は底板６２の厚さ（以下、「厚さＴ３」とする）をそれぞれ示している。また、図８乃至図１０において、図３に示した構造体（ＩＣタグ４１及びＩＣタグ収納ケース３０）と同一構成部分には同一符号を付す。
【００６１】
ＩＣタグ収納ケース６０は、ＩＣタグ４１を収納した状態で、情報を管理したい製品や物体等の対象物（以下、「対象物」とする）に取り付けられるものである。ＩＣタグ収納ケース６０は、大略すると蓋体３５と、ネジ３９と、枠体６１と、底板６２とを備えた構成とされている。枠体６１は、貫通部６４を有した枠状とされており、可撓性を有している。貫通部６４は、枠体６１が底板６２に装着された際、ＩＣタグ４１を収納するための空間となるものである。枠体６１には、貫通穴３７と対向する位置にネジ穴６５が形成されている。ネジ穴６５は、ネジ３９を挿入すると共に、蓋体３５を枠体６１に装着するためのものである。枠体６１の材料には、例えば、ポリエチレンテレフタレート（ＰＥＴ）、ポリエチレン（ＰＥ）、合成高分子ポリアミド（ナイロン）、ポリスチレン（ＰＳ）、ポロプロピレン（ＰＰ）等の樹脂や、合成ゴムを用いることができる。このような材料を用いることで、枠体６１に可撓性を持たせることができる。また、枠体６１の厚さＴ２は、収納するＩＣタグ４１の厚さに依存するが、例えば、０．５ｍｍ〜５．０ｍｍとすることができる。
【００６２】
底板６２は、高透磁率材料からなる板状の高透磁率部材であり、可撓性を有している。ＩＣタグ収納ケース６０は、ＩＣタグ４１と対象物との間に底板６２が配置されるよう対象物に取り付けられる。底板６２には、第１実施例で例に挙げた高透磁率材料を用いることができる。底板６２には、枠板６１に形成されたネジ穴６５と対向する位置にネジ穴６７が形成されている。ネジ穴６７は、ネジ３９を締結するためのものであり、このネジ３９により蓋体３５及び枠体６１は、底板６２に対して着脱可能な構成とされている。底板６２の厚さＴ３は、例えば、０．３ｍｍ〜５．０ｍｍとすることができる。
【００６３】
このように、ネジ３９により蓋体３５及び枠板６１を底板６２に対して着脱可能な構成とすることにより、ＩＣタグ収納ケース６０に収納されたＩＣタグ４１を他のＩＣタグと交換することが可能となり、複数のＩＣタグに対してＩＣタグ収納ケース６０を流用することができる。そのため、高透磁率材料を備えた従来のＩＣタグ１５と比較して、ＩＣタグ４１の製造コストを低下させることができる。
【００６４】
このように、底板６２を高透磁率材料により構成し、ＩＣタグ収納ケース６０を対象物に取り付ける際、ＩＣタグ４１と対象物との間に底板６２を配置することで、対象物の材質に依存することなく、リードライタ４７からの電磁波により形成される磁束ＣをＩＣタグ収納ケース６０に収納されたＩＣタグ４１に集中（ＩＣタグ４１を通過）させて、起電力を確保して、ＩＣタグ４１とリーダライタ４７との間の情報の交信を精度良く行なうことができる。
【００６５】
なお、本実施例では、蓋体３５、及び枠体６１をネジ３９により底板６２に装着させたが、蓋体３５、及び枠体６１は底板６２に対して着脱可能な構成であれば良く、底板６２に対する蓋体３５、及び枠体６１の装着手段は本実施例に限定されない。また、底板６２の対象物と対向する面に、粘着材を設けて、この粘着材によりＩＣタグ収納用ケース６０を対象物に取り付けても良い。さらに、ＩＣタグ収納ケース６０は、ＩＣチップと接続された第１のアンテナと、第１のアンテナの外側に設けられた第２のアンテナとを備えたＩＣタグにも適用することができる。
【第３実施例】
【００６６】
図１１乃至１３を参照して、本発明の第３実施例であるＩＣタグ収納ケース７０について説明する。図１１は、ＩＣタグが収納された本発明の第３実施例のＩＣタグ収納ケースの斜視図であり、図１２は、図１１に示した構造体（ＩＣタグ及びＩＣタグ収納ケース）のＦ−Ｆ線方向の断面図である。また、図１３は、図１１に示した構造体の分解斜視図である。なお、図１２において、Ｄ２は溝部７２の深さ（以下、「深さＤ２」とする）、Ｔ４はケース本体７１の底板部７１Ａの厚さ（以下、「厚さＴ４」とする）、Ｔ５は高透磁率部材７３の厚さ（以下、「厚さＴ５」とする）をそれぞれ示している。また、図１１乃至図１３において、図３に示した構造体（ＩＣタグ４１及びＩＣタグ収納ケース３０）と同一構成部分には同一符号を付す。
【００６７】
ＩＣタグ収納ケース７０は、ＩＣタグ４１を収納した状態で、情報を管理したい製品や物体等の対象物（以下、「対象物」とする）に取り付けられるものである。ＩＣタグ収納ケース７０は、大略すると蓋体３５と、ネジ３９と、ケース本体７１と、高透磁率部材７３とを備えた構成とされている。ＩＣタグ収納ケース７０は、ＩＣタグ４１と対象物との間にケース本体７１が配置されるよう対象物に取り付けられる。
【００６８】
ケース本体７１は、可撓性を有しており、ＩＣタグ４１を収容するための溝部７２と、ネジ３９を締結するためのネジ穴７４とを備えた構成とされている。溝部７２の深さＤ２は、収納するＩＣタグ４１の厚さに依存するが、例えば、０．５ｍｍ〜５．０ｍｍとすることができる。
【００６９】
ネジ穴７４は、蓋体３５に形成された貫通穴３７と対向する位置に形成されている。ネジ穴７４は、蓋体３５をケース本体７１に装着する際に使用するネジ３９を締結するためのものである。ケース本体７１の底板部７１Ａの厚さＴ４は、例えば、０．３ｍｍ〜０．５ｍｍとすることができる。
【００７０】
また、ケース本体７１の材料には、例えば、ポリエチレンテレフタレート（ＰＥＴ）、ポリエチレン（ＰＥ）、合成高分子ポリアミド（ナイロン）、ポリスチレン（ＰＳ）、ポロプロピレン（ＰＰ）等の樹脂や、合成ゴムを用いることができる。
【００７１】
高透磁率部材７３は、高透磁率材料からなる板状の部材であり、可撓性を有している。高透磁率部材７３は、ケース本体７１の底板部７１Ａに、ＩＣタグ４１と対向するよう内包されている。高透磁率材料としては第１実施例で例に挙げた高透磁率材料を用いることができる。高透磁率部材７３の厚さＴ５は、例えば、０．３ｍｍ〜４．０ｍｍとすることができる。
【００７２】
このように、ケース本体７１の底板部７１Ａに、ＩＣタグ４１と対向するよう高透磁率部材７３を内包させ、ＩＣタグ収納ケース７０を対象物に取り付ける際、ＩＣタグ４１とケース本体７１とを対向させることにより、対象物の材質に依存することなく、リードライタ４７からの電磁波により形成される磁束ＣをＩＣタグ収納ケース７０に収納されたＩＣタグ４１に集中（ＩＣタグ４１を通過）させて、起電力を確保して、ＩＣタグ４１とリーダライタ４７との間の情報の交信を精度良く行なうことができる。
【００７３】
なお、本実施例では、ネジ３９により蓋体３５をケース本体７１に装着させたが、蓋体３５はケース本体７１に対して着脱可能な構成であれば良く、ケース本体３１に対する蓋体３５の装着手段は本実施例に限定されない。また、ＩＣタグ収納ケース７０は、ＩＣチップと接続された第１のアンテナと、第１のアンテナの外側に設けられた第２のアンテナとを備えたＩＣタグにも適用することができる。
【第４実施例】
【００７４】
図１４及び図１５を参照して、本発明の第４実施例であるＩＣタグ収納ケース８０について説明する。図１４は、ＩＣタグが収納された本発明の第４実施例のＩＣタグ収納ケースの斜視図であり、図１５は、図１４に示した構造体の分解斜視図である。なお、図１４及び図１５において、図３に示した構造体（ＩＣタグ４１及びＩＣタグ収納ケース３０）と同一構成部分には同一符号を付す。
【００７５】
ＩＣタグ収納ケース８０は、ＩＣタグ４１を収納した状態で、情報を管理したい製品や物体等の対象物（以下、「対象物」とする）に取り付けられるものである。ＩＣタグ収納ケース８０は、大略するとケース本体３１と、ネジ３９と、蓋体８１と、導波用アンテナ８５とを備えた構成とされている。
【００７６】
蓋体８１は、可撓性を有した板状の部材であり、ケース本体３１のネジ穴３３と対向する位置に貫通穴８２が形成されている。貫通穴８２は、蓋体８１をケース本体３１に装着させる際に使用するネジ３９を挿入するためのものである。蓋体８１の材料としては、例えば、ポリエチレンテレフタレート（ＰＥＴ）、ポリエチレン（ＰＥ）、合成高分子ポリアミド（ナイロン）、ポリスチレン（ＰＳ）、ポロプロピレン（ＰＰ）等の樹脂や、合成ゴムを用いることができる。このような材料を用いることで、蓋体８１に可撓性を持たせることができる。
【００７７】
導波用アンテナ８５は、受動部品であるキャパシタンス部８６と、受動部品であるアンテナ部８７とを有した構成とされている。キャパシタンス部８６は、蓋体８１の上面８１Ａに設けられており、アンテナ部８７と電気的に接続されている。受動部品であるアンテナ部８７は、ＩＣタグ４１に設けられたアンテナ４３を取り囲むよう蓋体８１の上面８１Ａに配設されている。
【００７８】
このように、キャパシタンス８６及びアンテナ８７を有した導波用アンテナ８７を蓋体８１の上面８１Ａに設けて、リーダライタ４７からの電磁波を導波用アンテナ８５で受信し、ＩＣタグ４１のアンテナ８７と導波用アンテナ８５との間で電磁結合させることで、ＩＣタグ４１とリーダライタ４７との間の通信距離を伸ばすことが可能となり、ＩＣタグ４１とリーダライタ４７との間の情報の交信を精度良く行なうことができる。
【００７９】
図１６及び図１７は、導波用アンテナを備えた他のＩＣタグ収納用ケースの斜視図である。図１６に示すように、導波用アンテナ８５が配設された蓋体８１と、第２実施例で説明した枠体６１及び底板６２を組み合わせてＩＣタグ収納用ケース９０を構成しても良い。また、図１７に示すように、導波用アンテナ８５が配設された蓋体８１と、第３実施例で説明した高透磁率部材７３を内包したケース本体７１とを組み合わせてＩＣタグ収納用ケース９５を構成しても良い。これらＩＣタグ収納用ケース９０，９５の場合においても、本実施例のＩＣタグ収納ケース８０と同様な効果を得ることができる。なお、ＩＣタグ収納用ケース８０，９０，９５において、蓋体８１の表面８１Ａに導波用アンテナ８５を設ける代わりに、蓋体８１の裏面８１Ｂに導波用アンテナ８５を設けた構成としても良い。また、ＩＣタグ収納ケース８０，９０，９５は、ＩＣチップと接続された第１のアンテナと、第１のアンテナの外側に設けられた第２のアンテナとを備えたＩＣタグにも適用することができる。
【００８０】
尚、本発明は具体的に開示された実施例に限定されさるものではなく、クレームされた本発明の範囲から逸脱することなく、種々の変形例や実施例が考えられる。
【図１】
2006075359.tif 000002
【図２】
2006075359.tif 000003
【図３】
2006075359.tif 000004
【図４】
2006075359.tif 000005
【図５】
2006075359.tif 000006
【図６】
2006075359.tif 000007
【図７】
2006075359.tif 000008
【図８】
2006075359.tif 000009
【図９】
2006075359.tif 000010
【図１０】
2006075359.tif 000011
【図１１】
2006075359.tif 000012
【図１２】
2006075359.tif 000013
【図１３】
2006075359.tif 000014
【図１４】
2006075359.tif 000015
【図１５】
2006075359.tif 000016
【図１６】
2006075359.tif 000017
【図１７】
2006075359.tif 000018
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
ＩＣタグを収納するＩＣタグ収納ケースにおいて、
前記ＩＣタグを収納した際、前記ＩＣタグと対向する一方の側に、高透磁率材料よりなる高透磁率部材を設けたことを特徴とするＩＣタグ収納ケース。
【請求項２】
前記高透磁率材料の比透磁率は、１０００〜８０００００であることを特徴とする請求項１に記載のＩＣタグ収納ケース。
【請求項３】
前記高透磁率部材が設けられていない側に、受動部品よりなるアンテナを設けたことを特徴とする請求項１に記載のＩＣタグ収納ケース。
【請求項４】
ＩＣタグを収容する溝部を有したケース本体と、
前記溝部を塞ぐよう前記ケース本体に配設され、電磁波が入来される蓋体とを備え、
前記ケース本体を、高透磁率材料で構成したことを特徴とするＩＣタグ収納ケース。
【請求項５】
ＩＣタグを収容する溝部を有したケース本体と、
前記溝部を塞ぐよう前記ケース本体に配設され、電磁波が入来される蓋体とを備え、
前記ＩＣタグと対向するケース本体に、高透磁率材料よりなる高透磁率部材を設けたことを特徴とするＩＣタグ収納ケース。
【国際調査報告】
2006075359.tif 000019
2006075359.tif 000020